(57)【要約】タンパー指示装置。本発明の好ましい実施形態は、第１の側と第２の側とを有するバッキングであって、第１の相と第２の相とを含み、第１のレベルの光拡散を有し、剥離力をバッキングに加えると、バッキングは破断または内部層剥離し、そして第１のレベルの光拡散よりも高いレベルの光拡散である第２のレベルの光拡散を有するバッキングと、バッキングの第２の側に適用されて窓を画定するフラッドコートと、フラッドコートの窓と部分的または全体に位置合せされるものであって、タンパー指示装置に適用されるマスクとを含んでなる。
2006524364.tif 000002
【特許請求の範囲】
【請求項１】
第１の側と第２の側とを有するバッキングであって、第１の相と第２の相とを含み、第１のレベルの光拡散を有し、剥離力を前記バッキングに加えると、前記バッキングは破断し、そして前記第１のレベルの光拡散よりも高いレベルの光拡散である第２のレベルの光拡散を有するバッキングと、
前記バッキングの前記第２の側に適用されて窓を画定するフラッドコートと、
前記フラッドコートの前記窓と部分的または全体に位置合せされるものであって、タンパー指示装置に適用されるマスクと
を含んでなるタンパー指示装置。
【請求項２】
前記タンパー指示装置が、前記バッキングの前記第１の側に適用された少なくとも１つのセキュリティマーキングを更に含み、前記セキュリティマーキングが前記フラッドコートと実質的に同じ色を有している、請求項１に記載のタンパー指示装置。
【請求項３】
前記フラッドコートに接合された接着層を更に含む、請求項１に記載のタンパー指示装置。
【請求項４】
前記接着層が感圧接着層であり、前記タンパー指示装置が前記感圧接着層に適用された剥離ライナを更に含む、請求項３に記載のタンパー指示装置。
【請求項５】
前記セキュリティマーキングが、前記フラッドコートの色と同じ色で着色されている、請求項２に記載のタンパー指示装置。
【請求項６】
対象物と、
保護された情報と、
第１の側と第２の側とを有するバッキングであって、第１の相と第２の相とを含み、第１のレベルの光拡散を有し、剥離力を前記バッキングに加えると、前記バッキングは破断し、そして前記第１のレベルの光拡散よりも高いレベルの光拡散である第２のレベルの光拡散を有するバッキングと、
前記バッキングの前記第２の側に適用されたフラッドコートと、
前記保護された情報を隠すようにタンパー指示装置に適用されたマスクとを含むタンパー指示装置と、
前記タンパー指示装置を前記対象物に取り付ける接着層と
を含んでなるタンパー指示装置包含物品。
【請求項７】
前記フラッドコートが窓を画定している、請求項６に記載の物品。
【請求項８】
前記タンパー指示装置が、前記バッキングの前記第１の側に適用された少なくとも１つのセキュリティマーキングを更に含み、前記セキュリティマーキングが前記フラッドコートと実質的に同じ色を有している、請求項６に記載の物品。
【請求項９】
前記セキュリティマーキングが、前記フラッドコートの色と同じ色で着色されている、請求項８に記載の物品。
【請求項１０】
前記接着層が前記フラッドコートに接合されている、請求項６に記載の物品。
【請求項１１】
前記接着層が感圧接着層であり、前記タンパー指示装置が前記感圧接着層に適用された剥離ライナを更に含む、請求項１０に記載の物品。
【請求項１２】
対象物と、
保護された情報と、
第１の側と第２の側とを有するタンパー指示バッキングであって、第１の相と第２の相とを含み、光透過性であり、そして剥離力によって前記バッキングが破断してより不透明となるタンパー指示バッキングと、
前記バッキングの前記第２の側に適用されたものであって、着色されており、そして前記対象物の適用表面に接合されている接着層と、
前記保護された情報を隠すようにタンパー指示装置に適用されたマスクと
を含んでなる物品。
【請求項１３】
前記タンパー指示装置が、前記バッキングの前記第１の側に適用された少なくとも１つのセキュリティマーキングを更に含む、請求項１２に記載の物品。
【請求項１４】
前記バッキングの前記第２の側に適用されたものであって、窓を画定するフラッドコートを更に含み、そして前記セキュリティマーキングが前記フラッドコートと実質的に同じ色を有している、請求項１３に記載の物品。
【請求項１５】
前記接着層が感圧接着層であり、前記タンパー指示装置が前記感圧接着層に適用された剥離ライナを更に含む、請求項１２に記載の物品。
【請求項１６】
第１の側と第２の側とを有するバッキングであって、第１の相と第２の相とを含み、第１のレベルの光拡散を有し、そして剥離力を前記バッキングに加えると、前記バッキングは内部層剥離し、前記第１のレベルの光拡散よりも高いレベルの光拡散である第２のレベルの光拡散を有するバッキングと、
前記バッキングの前記第２の側に適用されて窓を画定するフラッドコートと、
前記フラッドコートの前記窓と部分的または全体に位置合せされるものであって、タンパー指示装置に適用されるマスクと
を含むタンパー指示装置。
【請求項１７】
前記タンパー指示装置が、前記バッキングの前記第１の側に適用された少なくとも１つのセキュリティマーキングを更に含み、前記セキュリティマーキングが前記フラッドコートと実質的に同じ色を有している、請求項１６に記載のタンパー指示装置。
【請求項１８】
前記フラッドコートに接合された接着層を更に含む、請求項１６に記載のタンパー指示装置。
【請求項１９】
前記接着層が感圧接着層であり、前記タンパー指示装置が前記感圧接着層に適用された剥離ライナを更に含む、請求項１８に記載のタンパー指示装置。
【請求項２０】
前記セキュリティマーキングが、前記フラッドコートの色と同じ色で着色されている、請求項１７に記載のタンパー指示装置。
【請求項２１】
対象物と、
保護された情報と、
第１の側と第２の側とを有するバッキングであって、第１の相と第２の相とを含み、第１のレベルの光拡散を有し、そして剥離力を前記バッキングに加えると、前記バッキングは内部層剥離し、前記第１のレベルの光拡散よりも高いレベルの光拡散である第２のレベルの光拡散を有するバッキングと、
前記バッキングの前記第２の側に適用されたフラッドコートと、
前記保護された情報を隠すようにタンパー指示装置に適用されたマスクと
を含むタンパー指示装置と、
前記タンパー指示装置を前記対象物に取り付ける接着層と
を含んでなるタンパー指示装置包含物品。
【請求項２２】
前記フラッドコートが窓を画定している、請求項２１に記載の物品。
【請求項２３】
前記タンパー指示装置が、前記バッキングの前記第１の側に適用された少なくとも１つのセキュリティマーキングを含み、前記セキュリティマーキングが前記フラッドコートと実質的に同じ色を有している、請求項２１に記載の物品。
【請求項２４】
前記セキュリティマーキングが、前記フラッドコートの色と同じ色で着色されている、請求項２３に記載の物品。
【請求項２５】
前記接着層が前記フラッドコートに接合されている、請求項２１に記載の物品。
【請求項２６】
前記接着層が感圧接着層であり、前記タンパー指示装置が前記感圧接着層に適用された剥離ライナを更に含む、請求項２５に記載の物品。
【発明の詳細な説明】
【技術分野】
【０００１】
本発明は、対象物または情報を保護する装置、特に、タンパー指示装置、更に、破断および／または内部層剥離によりタンパーを指示しようとするテープ、ラベルおよびラベルストックなどの装置に関する。
【背景技術】
【０００２】
物品上の情報を保護するための装置および方法は数多く知られている。例えば、米国特許第４，９８０，２２２号明細書および同第５，７７０，２８３号明細書を参照のこと。
【０００３】
情報を保護するためのかかる装置の一例はスクラッチオフ籤券である。保護した情報（隠すべき賞金番号等）は券に印刷されており、券の製造中にスクラッチオフ層でカバーされる。券の受取人（購入者等）は、硬貨、爪等でスクラッチオフ層をスクラッチオフして、隠れた数字を明らかにする。
【０００４】
スクラッチオフ層によってゴミが出るばかりでなく、スクラッチプロセスには、スクラッチオフ層の下にある保護された印刷情報も損傷する可能性がある。隠れた数字が賞金番号（広く知られる）と合致すると、当選券を買って、その層をスクラッチオフして隠れた当選番号が明らかになった人は賞金をもらえる。当選番号は、籤券が券の安全な製造場所を離れる前は保護されている必要がある。当選番号がその告知の前に秘密に保たれているときでも、券は当選番号の告知時にまだ販売されていないことがあるため、券の当選番号は尚保護されている必要がある。そうでないと、賞金を得るために当選券を選択的に購入することができてしまう。
【０００５】
保護された情報（例えば、籤券の当選番号）を保護するこのシステムは、情報が明らかになると、券は不可逆的に変化して、保護された情報が明らかになったことが明白であるという利点を有する。改変された状態、すなわち、スクラッチオフ層がなかったり、損傷している状態で券を受け取ると、券は無効である。あるいは、当選番号と、その番号の上にスクラッチオフコーティングを施した複製券を印刷して、当選籤券を複製することができる。
【０００６】
保護情報に加えて、これらの装置は、主として、情報にアクセスしたとき、または対象物がタンパー（不正変更）されたときにこれを示す役割を果たす。かかる装置は、タンパー指示装置として周知であり、様々な対象物に接着されている。通常、タンパー指示装置を対象物から取り外そうとすると、タンパー指示装置は、動作して、何らかのやり方で不可逆的に変化する。これらの装置は、例えば、容器の中身を保護することができる。容器を開けると、動作して不可逆的に変化するように適用されたタンパー指示装置と共に容器を締結することができる。これらの変化は、隠在的に、より一般的には、顕在的に検出可能である。
【０００７】
例えば、タンパー指示テープは、カートンのフラップをかけるように締結して、それを閉じ、容器の中身を保護する。かかる装置は動作させずに容易に取り外せないため、装置を取り外して、取り替えたことがわからないようにして偽造品のような他の対象物に再接着させることはできない。
【０００８】
ある特別なタンパー指示装置は、タンパーエビデントデラミネーティング（ＴＥＤ）フィルムのようなフィルムであり、非相容性ポリマーの混合物を利用して、フィルム（例えば、接着テープの形態にある）を基材（封止パッケージ等）から取り外そうとすると、フィルムは内部「層剥離（デラミネーション）」して、フィルムの中の２つのポリマーが分離して分割される。例えば、米国特許第４，８７６，１２３号明細書を参照のこと。
【０００９】
通常、業界の装置は、保護された情報を含んでいるため、かかる装置は、かかる情報が各物品にとって独特なものであるときは、各物品について別個に製造される必要がある。情報が何らかのやり方で対象物に既に取り付けられているときに、対象物の情報を保護するのに用いることのできる装置が求められている。
【発明の開示】
【課題を解決するための手段】
【００１０】
簡単に述べると、本発明の一面において、タンパー指示：第１の側と第２の側とを有するタンパー指示バッキングであって、第１の相と第２の相とを含み、第１のレベルの光拡散を有し、そして剥離力をバッキングに加えると、バッキングは破断し、第１のレベルの光拡散よりも高いレベルの光拡散である第２のレベルの光拡散を有するタンパー指示バッキングと；バッキングの第２の側に適用されて窓を画定するフラッドコートと；タンパー指示装置の上面に適用されるものであって、フラッドコートの窓と一部または全部位置合せされるマスクとを含むタンパー証拠装置の一実施形態が提供される。任意で、タンパー証拠装置の他の実施形態は、オーバーラミネート層および／または１枚以上のスキン層を更に含んでいてもよい。
【発明を実施するための最良の形態】
【００１１】
本発明は、情報を対象物に付加すると情報を保護するタンパー指示装置を提供する。情報またはアクセスを容易に明らかにできるとしても、そのようにすると、タンパー指示装置は、タンパーが生じ、情報が明らかになったことを不可逆的に示す。更に、タンパー指示装置を、偽造のタンパー指示装置に交換することは難しく、タンパー指示装置を複製するには比較的高度な製造技術を必要とする。
【００１２】
タンパー指示装置はまた、保護された情報が、タンパー指示装置を取り付けた対象物の一部であるときにも用いることができる。情報が対象物の一部である他の例は、対象物の表面が透明で、保護された情報がその表面を通して読めるときである。マスクフィーチャーを含むタンパー指示装置１０の一実施形態において、タンパー指示装置の対象物への適用によって、保護された情報が隠される。いずれの場合も、保護された情報は対象物にあるとされる。同じ種類のタンパー指示装置を、異なる片の保護された情報を有する異なる対象物と共に用いることができ、各タンパー指示装置が可変の保護された情報を含むよう別個に製造する必要はない。
【００１３】
本発明のタンパー指示装置は、様々な異なる対象物に取り付けることができる。タンパー指示装置はまた、対象物へのアクセスから保護するのにも用いることができる。保護された情報が、インディシア、画像、ホログラム、バーコード等のような視覚情報であるときは、保護された情報を明らかにする、または取り外そうとするとタンパー指示装置が動作する。タンパー指示装置（計画的か事故のいずれか）が動作すると、タンパー指示装置内で不可逆な変更が生じる。かかる損傷は、タンパー指示装置を取り外そうとしたり、保護された情報にアクセスしようとしたり、保護されている対象物にアクセスしようとするといったタンパーのために生じる。タンパー指示装置を試験して、保護された情報へのアクセスが成功したか、すなわち、保護された情報が明らかとなったり変更されたかどうか決める。
【００１４】
タンパー指示装置を用いて、ケースの開口部の保証が、例えば、無効な場合、ケース利用に際してスクリューヘッドのように対象物をカバーすることもできる。タンパー指示装置を用いて、コンピュータチップ、集積回路、無線周波識別タグ、ミニチュアアンテナやその他電子タンパー指示装置またはコンポーネントのような物を固定することもできる。図８に、対象物８０への無認可アクセスを示すために、本発明のタンパー指示装置を用いる一例を示す。
【００１５】
本発明のタンパー指示装置１０のある好ましい実施形態を図１に示す。タンパー指示装置１０は、一般的にテープまたはラベルである。タンパー指示装置１０は、タンパー指示バッキング１２、バッキング１２の第２の側２６に適用されたフラッドコート２８、接着層１６を含み、接着層１６はフラッドコート２８に接合されている。タンパー指示バッキング１２は、第１の側２４と、第１の側２４とは逆の第２の側２６とを有している。
【００１６】
タンパー指示装置１０がフラッドコート２８を有していないときは、接着層１６はバッキング１２の第２の側に直接接合されている。窓６８がフラッドコート２８にある実施形態において（詳細は後述してある）、接着剤１６は窓６８を通してバッキング１２に接着している。タンパー指示装置１０が接着層１６を有していないときは、タンパー指示装置１０はその他の接着手段により対象物に取り付けられていてもよい。あるいは、接着剤はタンパー指示装置が接合される対象物に適用したり、タンパー指示装置が対象物に接合された物品を形成するようにフラッドコートまたはタンパー指示バッキングの第２の側に適用することができる。タンパー指示装置１０は、マスク７０、フィルム６２と接着層６４とを含むオーバーラミネート３０を含むのが好ましい。タンパー指示装置１０の異なる実施形態を図面に示す。
【００１７】
タンパー指示装置１０は、タンパー指示装置１０を上面３４から見たときにマスク７０が保護された情報６０全体を隠す、または部分的に隠すように対象物３２に適用される。「隠す」とは、保護された情報が容易に認知されないことを意味する。例えば、マスク７０は不透明で、保護された情報の可視画像をブロックしてもよい。マスク７０は保護された情報をカモフラージュしてもよい。マスク７０は、無線周波シールドのようなある種の信号ブロッカーであってもよい。マスク７０は、保護された情報が明瞭でないように、何らかのやり方で保護された情報と組み合わせることができる。マスク７０は、保護された情報の少なくとも５％、より好ましくは５０％、最も好ましくは１００％を隠す。情報は、図６に示すように、タンパー指示装置１０の第２の部分４２から離れるように、タンパー指示装置１０の第１の部分４０を剥がすことにより、タンパー指示装置を動作させると明らかになる。易壊フィルム５８が破断または内部層剥離して、タンパー指示装置１０の第１の部分４０が剥がれ、保護された情報６０が、易壊フィルム５８の第２の部分７４を通して目視可能またはその他検出可能となる。保護された情報６０は、フラッドコート２８の窓６８内に現れ、フラッドコート２８は、タンパー指示装置１０の動作後、すなわち、タンパー指示装置１０の第１の部分４０の取り外しまたは剥離後は保護された情報６０を隠さない。かかる動作によって、タンパー指示装置１０が不可逆的に動作状態となる。タンパー指示装置１０の第１の部分４０は、タンパー指示装置１０が動作されなかったことを示すために交換することはできない。
【００１８】
図１に示した実施形態に戻ると、セキュリティマーキング３８は、タンパー指示装置１０の状態、すなわち、タンパー指示装置１０が動作されたかされなかったかを示している。好ましくは、セキュリティマーキング３８はフラッドコート２８と同じ色である。例えば、セキュリティマーキング３８を青色にし、フラッドコート２８も同一または同様の青色に着色してもよい。セキュリティマーキング３８は、このように、最初はタンパー指示装置１０において目視上認知されていない、またはセキュリティマーキングはタンパー指示装置１０の動作前は認知が難しい。
【００１９】
任意であるが、第２のセキュリティマーキングを、タンパー指示バッキング１２の第２の側２６に配置してもよい。第２のセキュリティマーキングは、セキュリティマーキング３８およびフラッドコート２８と対比をなす色であるのが好ましい。第２のセキュリティマーキングは、タンパー指示バッキング１２の第２の側２６とフラッドコート２８の間、またはフラッドコートと接着層１６の間に配置してもよい。第２のセキュリティマーキングがあるときは、タンパー指示バッキング１２の第１の側２４に第２のフラッドコートを配置するのが好ましい。第２のフラッドコートおよび第２のセキュリティマーキングは実質的に同色とすることができ、第２のセキュリティマーキングは、第１のセキュリティマーキングフラッドコート２８に関して上述した通り、第２のフラッドコーティングとの対比が不十分なため、タンパー指示装置１０の動作前には認知されない。タンパー指示装置の第１の部分４０が剥がれたり取り外される等してタンパー指示装置が動作すると、第２のフラッドコートはもはや第２のセキュリティマーキングを隠さず、第２のセキュリティマーキングは明らかとなり、より明瞭となる。第２のセキュリティマーキングおよび第２のフラッドコートは図面の実施形態には図示されていない。
【００２０】
好ましくは、タンパー指示装置１０の分離した第１の部分４０は、タンパー指示バッキング１２が剥離力により内部層剥離した後は、第２の部分４２へと内部再接着しないであろう。タンパー指示装置１０は、保護された情報６０への無認可アクセスに対する信頼性のある指示を行う。タンパー指示装置１０を対象物３２から取り外すのに用いる剥離力は、完全な内部層剥離を引き起こすものではなく、タンパー指示装置１０の部分内部層剥離または破断を引き起こすものである。
【００２１】
内部層剥離して、動作し、不透明となるタンパー指示装置は、いずれもここに参考文献として組み込まれる米国特許第４，８７６，１２３号明細書または同第４，９８０，２２２号明細書に開示されている。
【００２２】
更に他の実施形態において、タンパー指示バッキングは、易壊フィルムで、１枚以上の追加の層を含んでいるのが好ましい。かかる追加の層は、タンパー指示バッキングの第１の側を形成できる、かかる追加の層はタンパー指示バッキングの第２の側を形成でき、またはかかる追加の層からタンパー指示バッキングの両主面（第１の側および第２の側）を形成することができる。追加の層としては、下記に限られるものではないが、下塗り層、接着層、印刷受容層およびポリマーを含む層が挙げられる。
【００２３】
更に、タンパー指示バッキングの片側または両側は、当業者に公知の手段により処理して、近接する層の接着力またはフラッドコートのバッキングに対する、またはバッキングの接着力を改善して印刷を改善してもよい。かかる技術としてはコロナ処理またはｅ−ビーム処理が挙げられる。
【００２４】
タンパー指示バッキング１２は、易壊フィルム５８を含んでいるのが好ましく、易壊フィルム５８は、易壊フィルム５８内に、第１の相２０と第２の相２２の２つの相を形成するために十分に不相容性の少なくとも２種類のポリマー材料の混合物を含有している。所定のレベルの凝集力が第１の相２０と第２の相２２の間に生じていて、剥離力を適用して、タンパー指示バッキング１２の第１の側２４と第２の側２６が互いに離れると、タンパー指示バッキング１２が易壊フィルム５８内で内部層剥離する（図６に詳細を図示）。一般的に、第１の相２０は連続で、第２の相２２は不連続で、第２の相２２は、多数の内包物（第１の相２０の材料に封入された一般的に球または楕円体）を易壊フィルム５８内に形成する。易壊フィルム５８が完全に剥離すると、連続の第１の相２０は、第２の相２２の内包物に沿って分割される。バッキング１２の「破断」は、タンパー指示バッキング１２の第１の側２４が、タンパー指示バッキング１２の第２の側２６から離れるように（第１の側に）引っ張る力がかかるが、易壊フィルム５８が完全に分離せず、孤立した破断点でのみ分離するときに生じる。内部層剥離は、図６に示すように、フィルム５８が２つの分離した別個の部分７２、７４に分離するときに生じる。タンパー指示装置１０は、易壊フィルム５８の破断か、内部層剥離のいずれかが生じたときに動作する。
【００２５】
易壊フィルム５８は、一般的に、少なくとも１つのオレフィンモノマー単位を含む第１のコポリマーと、少なくとも１つのビニルアルコールモノマー単位を含む第２のコポリマーとから構成されている。２種類のコポリマーは、２相がフィルム内に形成されるよう互いに十分に不相容性である。かかるフィルムは、タンパーを指示する様々な着色剤やインディシア（例えば、印刷された文字やフラッドコーティング）や、フィルムを物品に接着する接着層を含むテープにすることができる。フィルムが層剥離して、容器から取り外そうとすると、透過性が低くなる、すなわち、不透明となる。この不透明性は、フィルムが層剥離したときに、他のインディシアまたは他の情報をあまり見えないようにするためである。不透明性を用いて、フィルムの内部層剥離後、インディシアまたは情報をより容易に認知されるようにすることもできる。
【００２６】
易壊フィルム５８は、第１および第２の材料の不相容性のために相分離モルホロジーが、不透明な易壊フィルムを形成することを見込んでいても、高い光透過性レベルと低いヘーズを有している。第２の相２２により形成される内包物の相対サイズおよびタンパー指示バッキング１２のコンポーネントの屈折率の近接度は、タンパー指示バッキング１２が良好な光透過特性（すなわち、フラッドコート２８をタンパー指示バッキング１２を通して見ることができる）を有するようなものであると考えられる。第２の材料により形成された内包物は一般的に約１ミクロン以下である。ただし、本発明はこのサイズに限定されるものではない。何らかの理論に拘束されることは望むところではないが、第２の不連続相２２により形成される内包物は、第１の材料の第１の連続相２０内に脆弱パターンを与えるものと考えられる。ある程度、タンパー指示バッキング１２の凝集力は、易壊フィルム５８の処方で選択した材料および材料の比率に応じて所望のレベルまで予め決めておくことができる。
【００２７】
タンパー指示バッキング１２は、ブローンフィルム押出しプロセスにより形成するのが好ましい。このやり方でタンパー指示バッキング１２を形成すると、タンパーエビデントデラミネーティングフィルムで以前得られたものよりも薄くすることができる。タンパー指示バッキング１２は、約０．００３インチ（０．０７６ｍｍ）の厚さより薄いのが好ましい。かかる薄いタンパー指示バッキング１２は、タンパー指示バッキング１２の第２の側と、タンパー指示装置１０を接着する対象物（爪、かみそりの刃等）の間に対象物が挿入されるのを防ぎ有利である。品目をタンパー指示バッキング１２より下に挿入できると、タンパー指示装置１０が無効となりやすくなり、タンパー指示装置が「こじあけられ」ると、十分な対抗力が、タンパー指示バッキングの第１の側２４と第２の側２６の間に生成されず、動作しなくなってしまう。このように、薄いタンパー指示バッキング１２は、より有効なタンパー指示装置１０である。更に、タンパー指示バッキング１２は薄ければ薄いほど、製造のための材料が少なくて済み、より経済的に作成できる。これらのタイプのタンパー指示バッキングの一例は、ここに参考文献として組み込まれるＰＣＴ出願、国際公開第００／４３９７７号パンフレットに開示されている。
【００２８】
上述した通り、共押出しブローンフィルムプロセスを用いて作成されたタンパーエビデントフィルムは、全体が非常に薄く、良好なタンパー指示を促すものである。このプロセスの更なる詳細については、ここに参考文献として組み込まれる米国特許第６，４１６，８５７号明細書に見出される。
【００２９】
一実施形態において、タンパー指示バッキング１２は、約７５パーセントの第１の相２０の材料と約２５パーセントの第２の相２２の材料とを含む組成物から誘導された共押出しブローンフィルムを含む。かかるタンパー指示バッキングは米国特許第６，４１６，８５７号明細書に開示されている。スキン層の好ましい組成もまた記載されている。第１の相の材料２０は、ポリプロピレンとポリエチレンのランダムコポリマーであるのが好ましく、ポリエチレンは約４パーセントのテキサス州ダラスのフィナオイルアンドケミカルカンパニー（ＦＩＮＡ  Ｏｉｌ  ａｎｄ  Ｃｈｅｍｉｃａｌ  Ｃｏｍｐａｎｙ，Ｄａｌｌａｓ，ＴＸ）より入手可能なフィナ（ＦＩＮＡ）８４７３のようなコポリマーを含んでいる。第２の相の材料２２は、イリノイ州ライルのエヴァルカンパニーオブアメリカ（ＥＶＡＬ  Ｃｏｍｐａｎｙ  ｏｆ  Ａｍｅｒｉｃａ，Ｌｉｓｌｅ，ＩＬ）より入手可能なエヴァル（ＥＶＡＬ）Ｅ１０５Ａのようなエチレン部分４４％およびビニルアルコール部分５６％のエチレン／ビニルアルコールコポリマーであるのが好ましい。上記の易壊フィルム５８の組成は例証であるが、易壊フィルムが得られる任意の処方が考えられ、本発明の範囲内であることに留意されたい。
【００３０】
タンパー指示装置１０はまたマスク７０を含んでいてもよい。マスク７０は、保護された情報６０を隠して、情報がマスク７０の取り外しなしには目視されないようにする。マスク７０を取り外そうとすると、タンパー指示装置１０が動作する。図３および図４に、タンパー指示装置１０が対象物３２に固定された実施形態を示す。図３において、マスク７０は、タンパー指示バッキング１２の第１の側２４に適用され、セキュリティマーキング３８を覆っている。タンパー指示装置１０が、オーバーラミネート３０を含むときや、図５に示すようにタンパー指示装置１０がオーバーラミネート３０を含まないときは、マスク７０は、タンパー指示装置１０のこの位置に配置してもよい。図４、図６および図８において、マスク７０はオーバーラミネート３０の上面に適用されている。図３および図４に例証されたマスク７０の位置のいずれかにおいて、マスク７０は、保護された情報６０をシールドまたはカバーまたは隠して、保護された情報６０を判読不可能または暗号化する。
【００３１】
保護された情報６０をタンパー指示バッキング１２の第１の側２４から目視または検出するときに、マスク７０は、保護された情報６０と保護された情報６０の目視者または検出者との間の経路をブロックすることにより情報を隠すことができる。しかしながら、マスク７０はまた、保護された情報６０を他の手段により隠したり、保護することもできる。例えば、保護された情報６０が赤色インディシアを含むときは、マスク７０を、赤のインディシアの色に実質的に合わせて単純に赤色とすると、赤のインディシアをカモフラージュすることができる。他の例を挙げると、保護された情報が、可視光では目視されず、紫外線では目視される紫外線（ＵＶ）インクを含むインディシアであるときである。あるいは、マスクは、保護された情報６０と同様のＵＶ吸収特性を有するインクまたは着色剤の印刷層を含むことができる。
【００３２】
別法によれば、タンパー指示装置１０はまた、不透明であるマスク７０を含んでいてもよい。マスク７０は、図１、図４および図６に示すようにタンパー指示装置１０の上面３４に配置してもよい。オーバーラミネート３０を用いないとき、タンパー指示装置の上面３４は、バッキングの第１の側２４、またはセキュリティマーキングが存在するときは定位置のセキュリティマーキングである。オーバーラミネート３０がない場合には、マスク７０は、バッキング２４の第１の側に適用して、セキュリティマーキング３８をマスクの上部に適用するか、マスク７０は、バッキングの第１の側に適用して、セキュリティマーキングをカバーする。マスク７０のこれらの３つの位置としては、（ｉ）タンパー指示装置１０の一部として存在するときはオーバーラミネートの上面、（ｉｉ）バッキングの第１の側２４にオーバーラミネートがなく、セキュリティマーキングとバッキングの第１の側２４の間、または（ｉｉｉ）バッキングの第１の側２４にオーバーラミネートがなく、セキュリティマーキングがマスクとバッキングの第２の側の間、が挙げられ、マスク７０のこれらの例は全て、タンパー指示装置１０の上面３４にある。あるいは、マスク７０は、オーバーラミネート３０がタンパー指示装置１０の一部であるときは、タンパー指示装置１０内の他の場所に配置することができる。例えば、マスク７０は、図３に示すように、接着剤６４とセキュリティマーキング３８の間に適用してもよいし、セキュリティマーキング３８とタンパー指示バッキング１２の間に配置してもよい。タンパー指示装置１０がオーバーラミネート３０を含まないときは、マスク７０は、図２および図５に示すように、セキュリティマーキング３８の上のタンパー指示装置１０の上面３４、またはセキュリティマーキング３８とタンパー指示バッキング１２の第１の側２４の間に適用してもよい。マスク７０は、片面粘着ラベルのような不透明材料を印刷、着色、コーティング、延伸、エンボス加工、スクラッチまたは塗布することにより適用することができる。マスク７０はまた、接着剤付きの紙やプラスチックラベルのようなラベルとすることができる。かかるラベルマスクは、タンパー指示装置１０の所望の位置に接着することができる。マスク７０は、タンパー指示装置の上面３４に任意の印刷または塗布または変更を行って（スクラッチやエンボス加工領域）、保護された情報６０を、タンパー指示装置の上面３４を通して判読不可能とする。しかしながら、タンパー指示装置１０が動作して、破断または内部層剥離が易壊フィルム５８内で生じたときは、マスク７０をタンパー指示装置１０の第１の部分４０で取り外して、保護された情報６０がタンパー指示装置１０の動作後アクセス可能となるようにする。
【００３３】
窓６８を備えたフラッドコート２８があるときは、マスク７０は、窓６８と部分的または全体的に位置合せされている、すなわち、マスク７０は、タンパー指示装置１０の上部３４から見たときに、窓６８の大部分をカバーしているのが好ましい。マスク７０は、好ましくは窓６８の少なくとも５０％、より好ましくは窓６８の７５％よりも広く、最も好ましくは窓６８の１００％をカバーしている。タンパー指示装置１０の上部に垂直に見たときに、マスク７０が窓６８の１００％をカバーすると思われるとき、マスク７０は窓６８と全体に位置合せされるとここでは言っている。タンパー指示装置１０に垂直の方向に見たときに、マスク７０が窓６８の一部をカバーするとき、マスク７０は窓６８と部分的に位置合せされるとここでは言っている。
【００３４】
他の実施形態において、タンパー指示バッキング１２は１枚以上のスキン層（図示せず）を含んでいる。かかるタンパー指示バッキングは、易壊フィルムの片側に第１のスキン層と、易壊フィルムのもう一方の側に第２のスキン層を含んでいる。これらの構造は、ここに参考文献として組み込まれる米国特許第６，４１６，８５７号明細書に詳細に記載されている。しかしながら、タンパー指示バッキングは、スキン層なしで作成することができ、この場合は、タンパー指示バッキングは、易壊タンパー指示フィルムからなり、追加の層またはフィルムは含まない。
【００３５】
図１〜図４を参照すると、タンパー指示装置１０は、タンパー指示バッキング１２の第２の側２６に適用されたフラッドコート２８を含むのが好ましい。フラッドコート２８は、印刷等の業界に公知の数多くの技術を用いて、タンパー指示バッキング１２の第２の側２６に印刷、コート、ラミネートまたはその他適用してもよい。フラッドコート２８は、フレキソ印刷またはグラビア印刷のような業界に公知の技術を用いて印刷可能なインクを含むのが好ましい。タンパー指示バッキング１２は、第２のスキン層（図示せず）を含むことができ、これがタンパー指示バッキングの第２の側２６を形成する。タンパー指示バッキング１２がかかる第２のスキン層を含むときは、フラッドコート２８を第２のスキン層に印刷またはその他の形で適用することができる。フラッドコート２８は、通常、着色されており、タンパー指示装置が適用される対象物の色とコントラストをなすようなものを選択したり、対象物の適用表面の色と同様または適合するようなものを選択することができる。
【００３６】
フラッドコート２８は、好ましくは、フラッドコート２８から色無しの領域である窓６８を画定する。例えば、フラッドコート２８がバッキング１２の第２の側２６に印刷された層であるときは、窓６８は、フラッドコートが存在しないバッキングの第２の側の領域である。通常、窓６８は、タンパー指示装置１０の上面３４から見たときに、着色されたフラッドコート２８により２つ以上の側に拘束されている。窓６８は、フラッドコート２８が適用されていない領域、あるいは無色またはフラッドコート領域とは異なる色のその他の材料の領域である。
【００３７】
その他の構成のセキュリティマーキング（インディシアおよび／またはフラッドコート）を用いて、本発明の技術思想および範囲から逸脱することなく、また当業者に公知のタンパーを指示することができることに留意されたい。
【００３８】
タンパー指示装置１０の他の実施形態は、フラッドコート２８の代わりに着色接着層１６を組み込むものである。接着層１６を着色して、セキュリティマーキング３８の色に合わせることにより、セキュリティマーキングは、フラッドコート２８に関して前述したものと同様の手法で着色接着剤１６に対してカモフラージュされる。この場合、保護された情報６０は、着色接着剤に窓なしで、着色接着剤を通して目視されるのが望ましい。同様に、存在するときは、第２のスキン層は、フラッドコート２８または着色接着剤１６の代わりにカモフラージュを行うために、顔料を含むように（業界に公知の手法で）製造してもよい。しかしながら、フラッドコートは、タンパー指示バッキングの第２の側に印刷して、容易に窓を画定できることから、フラッドコートが好ましい。印刷プロセスによって、印刷に容易に使用可能な様々な着色インクのために、フラッドコートには様々な色が与えられる。フラッドコートおよび／または接着層はパターンコートすることができる。オーバーラミネート層３０および／または取り外し可能ライナ１８を上述の実施形態の全てに含めてもよい。
【００３９】
好適な接着剤は、熱活性または感圧接着剤のような接着層１６と接着層６４を含むが、接着層は感圧接着剤（ＰＳＡ）層であるのが好ましい。感圧接着剤は、室温で通常粘着性があり、せいぜい指で軽く押すくらいで表面に接着できる。有用な感圧接着剤の一般的な記載は、ポリマーサイエンス・アンド・エンジニアリング辞典（Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ）、１３巻、ウィリーインターサイエンスパブリッシャーズ（Ｗｉｌｅｙ−Ｉｎｔｅｒｓｃｉｅｎｃｅ  Ｐｕｂｌｉｓｈｅｒｓ）（ニューヨーク、１９８８年）にある。有用な感圧接着剤の更なる記載は、ポリマーサイエンス・アンド・テクノロジー百科事典（Ｅｎｃｙｃｌｏｐｅｄｉａ  ｏｆ  Ｐｏｌｙｍｅｒ  Ｓｃｉｅｎｃｅ  ａｎｄ  Ｔｅｃｈｎｏｌｏｇｙ）、１巻、インターサイエンスパブリッシャーズ（Ｉｎｔｅｒｓｃｉｅｎｃｅ  Ｐｕｂｌｉｓｈｅｒｓ）（ニューヨーク、１９６４年）にある。感圧接着剤としては、樹脂粘着付与合成ゴム接着剤、特に、スチレン−ブタジエンゴム、スチレン−イソプレン−スチレンブロックコポリマーおよびスチレン−ブタジエン−スチレンブロックコポリマー、およびアクリル接着剤、特に、イソオクチルアクリレート／アクリル酸コポリマー、粘着付与天然ゴム接着剤、およびエポキシ接着剤が例示される。特に好ましい部類の感圧接着剤は、ここに参考文献として組み込まれる米国特許第５，８０４，６１０号明細書（ハマーら（Ｈａｍｅｒ  ｅｔ  ａｌ．））に記載された（メタ）アクリレート系接着剤である。
【００４０】
感圧接着剤
本発明のタンパー指示装置１０に用いるのに好適な感圧接着剤は、（ｉ）自然力に長い間さらした後、基材からタンパー指示装置の意図しない剥離を防ぐのに十分な接着強度および（ｉｉ）タンパー指示装置が対象物から取り外される前に、フィルムが破断または内部層剥離するようなフィルムの接着強度と凝集力の関係をはじめとする数多くの物理および化学特性を有している。
【００４１】
最良の接着剤の選択は、タンパー指示装置の他の層の組成およびタンパー指示装置が適用される特定の対象物をはじめとする数多くの因子に応じて異なる。
【００４２】
有用な接着剤としては特に、これらに限られるものではないが、架橋アクリレート接着剤、ブロックコポリマー接着剤およびゴム樹脂接着剤が挙げられる。
【００４３】
ゴム樹脂接着剤としては、ポリイソプレン、天然ゴムおよび合成ブロックコポリマーのような合成ゴムが挙げられる。有用な合成ブロックコポリマーは、シエルケミカル社（Ｓｈｅｌｌ  Ｃｈｅｍｉｃａｌ  Ｃｏ．）のような供給元から市販されており、スチレン−イソプレン−スチレン（クラトン（Ｋｒａｔｏｎ）（登録商標）１１０７等）およびスチレン−ブタジエン−ゴム（クラトン（Ｋｒａｔｏｎ）（登録商標）１６５７等）が挙げられる。ゴム樹脂接着剤はまた、固体および／または液体粘着付与樹脂、酸化防止剤、フィラーおよびその他一般的なゴム添加剤を含んでいてもよい。
【００４４】
接着剤は、溶剤からコートしても、ホットメルト接着剤として配合してもよい。様々な種類の接着剤の配合およびコーティングは業界に公知であり、米国特許第３，３２９，４７８号明細書をはじめとする様々な刊行物に記載されている。
【００４５】
様々な紙、ガラス、金属およびプラスチック表面に適用するのに特に好適な感圧接着剤は、（ａ）疎水性アクリレートモノマー（モノマーＡ）、（ｂ）親水性エチレン性不飽和モノマー（モノマーＢ）、および（ｃ）モノエチレン性不飽和架橋剤（モノマーＰＸ）の架橋コポリマーである。ＰＸモノマーは、紫外線に露光させてコポリマーを架橋するのに有効な感光性架橋剤であることが好ましい。かかる接着剤は、ミネソタ州セントポールのミネソタ・マイニング・アンド・マニュファクチュアリング・カンパニー（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ  ｏｆ  Ｓｔ．Ｐａｕｌ，ＭＮ）に譲渡された米国再発行特許第ＲＥ２４，９０６号明細書および米国特許第４，７３７，５５９号明細書（ケラーら（Ｋｅｌｌｅｒ  ｅｔ  ａｌ．））に開示されている。しかしながら、かかる感圧接着剤は、重合混合物から連鎖停止剤を排除することにより修正してもよい。
【００４６】
本発明に用いる接着組成物の特性および特徴は、様々な個々の成分の協同相互作用に基づいている。従って、個々の成分により付与および／または影響された属性を説明しようとしても、必ずしも最終接着組成物が有する属性を示すとは限らない。かかる説明は、一般的な傾向の指摘およびこれらの属性の指針として用いるのみであり、組成物の他の成分を選択するときは慎重に考えなければならない。
【００４７】
接着層１６が感圧接着層のときは、図１および図２に概略を示すように、取り外し可能な剥離ライナ１８を任意で接着層１６に適用する。剥離ライナ１８は、接着層１６を損傷から保護し、対象物に対する接着層の望まない接着を防ぐことができる。剥離ライナ１８はまた、タンパー指示装置がロール形態で利用可能で、タンパー指示装置の上面が接着層近傍にあるときは、タンパー指示装置の上面に接着剤が粘着するのも防ぐことができる。別法によれば、図３に示すように、接着防止層３６をオーバーラミネート３０に存在させることができる。接着防止層３６が存在するときは、剥離ライナ１８を用いる必要はない。接着防止層３６は、オーバーラミネート３０の上面に接着層１６が接着するのを防ぐことができる。
【００４８】
フラッドコートが存在するときは、接着層１６はフラッドコート２８に接合されている。フラッドコート２８が存在していないときは、接着層１６はタンパー指示バッキング１２の第２の側２６に直接接合されている。接着層１６を与えて、タンパー指示装置１０を対象物３２に接着する（図３〜図７に図示）。接着層１６は、接着層１６とタンパー指示装置１０を接着する対象物の間の接着接合が、易壊フィルム５８の凝集力より大きく（すなわち、タンパー指示バッキング１２の第１の側２４と第２の側２６を互いに分離するのに必要な力より大きく）なるように選択しなければならない。この手法で、タンパー指示装置１０を物品から取り外そうとすると（対象物３２への接着接合に勝るようにして）、タンパー指示装置１０が、タンパー指示バッキング１２の易壊フィルム５８内の凝集分離により動作する（図６に詳細を図示）。
【００４９】
タンパー指示装置１０は、図１に示すようにオーバーラミネート３０を含んでいるのが好ましい。オーバーラミネート３０は、実質的に透明であるのが好ましい。一般的に、オーバーラミネート３０は、上部フィルム６２と接着剤６４とを含んでいる。オーバーラミネート３０は、任意で、図３に示すような剥離ライナ３６を含んでいる。オーバーラミネート３０が実質的に透明であるときは、セキュリティマーキング３８、フラッドコート２８および保護された情報６０がオーバーラミネート３０を通して目視および判読可能である。「判読可能」という用語は、セキュリティマーキング３８および保護された情報６０が、オーバーラミネート３０を通して適宜可読であることを意味する。例えば、保護された情報６０およびセキュリティマーキング３８がインディシアであるときは、「可読」とは、かかるインディシアが、追加の機器の支援なしに可読または目視可能であることを意味する。セキュリティマーキング３８および保護された情報６０がバーコードのような暗号化されたインディシアを含むときは、「可読」という用語は、かかる暗号化されたインディシアがバーコードスキャナ等で読むことができることを意味する。
【００５０】
タンパー指示装置１０は、任意で、接着剤、押出しラミネーションまたは共押出しによる等して、タンパー指示バッキング１２の第１の側２４に取り付けられたオーバーラミネート３０を含んでいてもよい。オーバーラミネート３０を用いて、タンパー指示バッキング１２に印刷されたセキュリティマーキング３８のような情報を変更または取り外しから保護する。一般的に、オーバーラミネート３０は、上部フィルムと接着剤とを含んでいる。上部フィルムに許容される材料は、これらに限られるものではないが、ポリエステル、ポリプロピレン、ポリカーボネートおよびデラウェア州ウィルミントンのイー・アイ・デュポン・ドゥ・ヌムール・アンド・カンパニー(Ｅ．Ｉ．  ｄｕ  Ｐｏｎｔ  ｄｅ  Ｎｅｍｏｕｒｓ  ａｎｄ  Ｃｏｍｐａｎｙ，Ｗｉｌｍｉｎｇｔｏｎ  ＤＥ）より入手可能なサーリン（ＳＵＲＬＹＮ）樹脂が挙げられる。ある好ましいフィルムは、ミネソタ州セントポールの３Ｍ社（３Ｍ  Ｃｏｍｐａｎｙ，Ｓｔ．Ｐａｕｌ，ＭＮ）より３Ｍ３１１として市販されているアクリル系接着剤付きの厚さ０．０２５ｍｍ（０．０００１２インチ）の二軸延伸ポリプロピレンフィルムである。材料および意図する用途に応じて、オーバーラミネート３０は、一般的に０．０１３〜０．１３ｍｍ（０．０００５〜０．００５インチ）の厚さを有している。セキュリティマーキング３８は、タンパー指示バッキング１２の第１の表面２４か、タンパー指示バッキング１２に対向するオーバーラミネート３０の表面のいずれかに適用する。追加のセキュリティマーキングは、所望であれば、オーバーラミネート３０のいずれかの側に与えてもよい。オーバーラミネート３０は、一般的に感圧接着コートフィルムである。しかしながら、オーバーラミネート３０はまた、ヒートシールラミネート、ホットメルトラミネート、またはセキュリティマーキング３８適用後にタンパー指示バッキング１２にコートまたは押出された透明層であってもよい。
【００５１】
オーバーラミネート３０を用いるときは（図１、図３、図４、図６および図８に図示）、タンパー指示装置の上面３４がオーバーラミネート３０の上面（すなわち、タンパー指示バッキングの第１の側２４の逆側にあるオーバーラミネート３０の上部フィルムの主面）である。オーバーラミネート３０が接着防止層を含むときは、オーバーラミネート３０の上面は図３に示すように接着防止層３６である。
【００５２】
取り外し可能な剥離ライナが接着層をカバーしてもよく、これは、シリコーン剥離ライナのような上等の剥離タイプであるのが好ましい。タンパー指示バッキングに適用された接着層の量を変えると、かかるライナと接着層の間の接着レベルを変えることができる。一般的に、装置１０をロールに巻き付けるときは、バージニア州ホープウェルのゴールドシュミットケミカル社（Ｇｏｌｄｓｃｈｍｉｄｔ  Ｃｈｅｍｉｃａｌ  Ｃｏｒｐ．，Ｈｏｐｅｗｅｌｌ，ＶＡ）製のコーティングのようなシリコーンアクリレート剥離ライナを、オーバーラミネート３０（存在するときは）の上面、またはセキュリティマーキング３８の上部を覆うタンパー指示バッキング１２の第１の側２４に配置する。この剥離ライナは、タンパー指示装置１０の上面に接着剤１６が接着するのを防ぐ接着防止層３６である。接着防止層３６を用いるときは、取り外し可能な剥離ライナ１８は、タンパー指示装置１０の一部として含まれないのが好ましい。
【００５３】
保護された情報の例としては、当選番号、ゲーム番号、ソフトウェア登録コード、ソフトウェアインターネットダウンロードコード、組み合わせコード、薬剤使用期限、臨床試験情報、データベース、オンラインバンキング情報および個人識別番号（ＰＩＮ番号）が挙げられる。情報は、コンピュータチップ、無線周波識別タグとすることができ、情報は点字で書かれている場合もある。
【００５４】
例えば、情報が無線周波識別（「ＲＦＩＤ」）タグに含まれているときは、ＲＦＩＤタグはタンパー指示装置を動作させずに読むことができる。更に、タンパー指示装置は、シリアル番号のようなタグに印刷された情報を識別するのを隠し、更にはＲＦＩＤタグも共に隠して、偶然の観察者にはその存在を知らせずにおくことができる。
【００５５】
更に、「情報」は多層光学フィルムとすることができ、それ自身がセキュリティフィーチャーであるが、タンパー指示装置を取り外す、または動作させると、追加の情報を与えることができる。保護される情報はまた、アクセスファスナ、計器のような電子インジケータ、ＲＦＩＤタグ、チップ等のような対象物とすることもできる。例えば、保護される対象物を計器とすることができる。計器は、電子インジケータまたは化学インジケータ、あるいは対象物（計器が取り付けられた）がさらされる最低または最高温度を表示する示温ストリップとすることもできる。
【００５６】
タンパー指示装置１０は、保護された情報６０をカバーする対象物３２に適用される。保護された情報は、フラッドコート２８の窓６８の領域内に実質的にあるいは完全に存在する。しかしながら、マスク７０は保護された情報６０を見えないようにカバーして、タンパー指示装置の動作なしには保護された情報にアクセスしたり、目視できないようにしている。マスク７０は、窓６８よりはるかに大きくすることができ、通常は、少なくとも窓と同じ大きさである。
【００５７】
セキュリティマーキング３８を、タンパー指示バッキング１２の第１の側２４に適用するのが好ましい。一般的に、セキュリティマーキング３８は、文字、語、数、シンボル、画像または情報を含むその他目視マーキングのようなインディシアであり、セキュリティマーキング（インディアであってもなくても）はフラッドコート２８の色と同じ色で着色されているのが好ましい。従って、かかるセキュリティマーキング３８はフラッドコート２８により隠されている、すなわち、セキュリティマーキングは、タンパー指示装置の上面３４から見たときにフラッドコートに対するコントラストが不十分であるため、動作していないタンパー指示装置において目視されない（または目視困難）である。セキュリティマーキング３８は、例えば、タンパー指示バッキング１２の第１の側２４に繰り返しパターンで印刷してもよい。セキュリティマーキング３８は、保護された情報と同じインディシアや保護された情報に添付されたインディアのように、何らかの手法で保護された情報に関係する情報を含むことができる。
【００５８】
セキュリティマーキング３８は、フラッドコート２８と同じに着色されている必要はない。例えば、フラッドコート２８が青色で、セキュリティマーキング３８が赤色の場合には、セキュリティマーキング３８は赤色−青色（または紫）に見える。タンパー指示装置が動作すると、かかるセキュリティマーキング３８は赤色−青色から赤色へと変化を示す。本例において、セキュリティマーキングは、認知された色が赤色−青色から赤色へ変わることによりタンパー指示装置の動作を示すことができる。タンパー指示装置は赤色／青色の組み合わせに限定されない。多くのその他の色の変化が可能である。
【００５９】
セキュリティマーキング３８により表示された情報もまた変えてもよい。かかる情報は、対象物が本物であることを表示するために、対象物３２のシリアル番号のような識別子、またはタンパー指示装置１０を接着する特定の対象物３２に特化されたその他情報を含むことができる。タンパー指示装置１０は、保護された情報６０が読まれることを防がないが、マスクを用いる実施形態においては、タンパー指示装置１０はかかる情報が以前明らかとなったかどうかを示す。このように、物品は、例えば、シリアル番号または確認コード（すなわち、保護された情報）の付いたＣＤケースのようなメールにより送ってもよい。物品の受取人は、タンパー指示装置の上部から剥がして、タンパー指示装置を動作させて、確認コードを明らかにすることができる。確認コードを、物品の発送について認可された確認コードのリストに対してチェックすることにより、この物品が偽造品でないことが確認される。受け取り時点で、タンパー指示装置が以前動作していなかったため、受取人は情報が複製されなかったことを確認することができる。
【００６０】
保護された情報６０を有する物品６６の一例は籤券である。籤券の一部としてのタンパー指示装置の操作を例を挙げて説明する。しかしながら、当業者であれば、タンパー指示装置のウェブの、数多くの異なる手法での作成、数多くの応用および用途が分かるであろう。対象物は、数字がそれぞれ唯一のものであるいくつかの数字を有する籤券のウェブを印刷することにより作成される。タンパー指示装置１０のウェブは、グラビア印刷のような技術を用いて、第２の側２６にフラッドコート２８を印刷することにより作成される。フラッドコートは、周期的に規則的な窓を含んでおり、これはグラビアシリンダ画像の一部である。タンパー指示バッキング１２の逆（第１の）側２４に、ラミネーションによりオーバーラミネート３０および、例えば、グラビア印刷によりマスク７０が適用される。籤券については、マスク７０は窓６８と完全に位置合せされているのが好ましい。タンパー指示装置のウェブを、隠れた数字と完全に位置合せされ、これを隠すようにして、タンパー指示装置のマスクおよび窓を備えたカードのウェブにラミネートする。組み合わせたウェブを個々の籤券に変換（切断）する。対象物に適用されたタンパー指示装置を図７に一般に示す。これが別個の籤券である場合には、対象物３２は印刷されたカードであり、保護された情報６０は隠れた数字である。
【００６１】
対象物の取扱いを誤ったり、タンパーされたり、模造されたりしたかどうか判断するために、多くの対象物は、追加のセキュリティを与えたり、何らかのインジケータを必要とする。多くの場合、保護された情報は既に対象物自身である。
【００６２】
例えば、シリアル番号または籤番号が、対象物に押印されて、情報が容易に公表されないことが重要である。そうでないと、対象物は、認可された技術者またはサービス員のみによる修理を必要とし、対象物へのアクセスが保証を無効とする。多くの物、特に対象物の一部の物が、セキュリティタンパーエビデントテープまたはラベルにより保護できる。
【００６３】
タンパー指示装置１０は、図３〜図６および図８に示すように接着層１６により対象物３２に取り付けて物品６６を形成してもよい。剥離ライナ１８（存在するとき）は、最初に取り外され、接着層１６を用いて、タンパー指示装置１０が対象物３２に固定される。
【００６４】
例えば、対象物３２は籤券であり、保護された情報６０は券に印刷された当選番号である。タンパー指示装置１０は、保護された情報６０をカバーする対象物３２に適用される。保護が必要な情報の任意のインジケータを、本発明のタンパー指示装置により「隠す」ことができる。かかる情報は、筆記物（英数字）、画像、図面、暗号データまたはインディシアおよび情報の組み合わせの形態とすることができる。かかる保護された情報６０はまた、エンボス加工、刻み加工、エッチングまたはその他対象物に配置された情報も含むことができる。
【００６５】
タンパー指示装置１０を対象物３２から分離しようとすると、タンパー指示装置１０が動作する。かかる分離の試みは、タンパー指示装置を対象物から単に引っ張ろうとする、あるいは、かみそりの刃のような鋭い対象物を接着層の下でスライドさせようとすることである。タンパー指示バッキング１２の第１の側２４と第２の側２６の間に生成された力によって、タンパー指示バッキング１２の易壊フィルム５８内の破断または内部層剥離のために、タンパー指示装置が動作する。易壊フィルム５８が内部層剥離して、２つの部分に分離されると、易壊フィルムの第１の部分７２と第２の部分７４（図６に概略を図示）の透明性が少なくなる。「剥離力」と呼ばれるタンパー指示装置１０を対象物３２から取り外そうとすることにより生じる力によって、通常は、タンパー指示バッキング１２が内部層剥離して、図６に示すように分離したり、破断する。タンパー指示装置１０を分離するために（タンパー指示装置１０がタンパーされ動作されたという指示を与えて）、易壊フィルム５８の内部層剥離力よりも大きな接合強度で、接着層１６がタンパー指示バッキング１２の第２の側２６を対象物３２に接合する。接着層１６の厚さおよび種類を変えることにより、対象物の適用面４４とタンパー指示装置１０の間の接着力のレベルを変えることができる。しかしながら、接着力は、常に、易壊フィルム５８を内部層剥離するのに要する力より大きく、タンパー指示装置１０に剥離力を与えると、バッキング１２は分離して、バッキング１２の第２の部分４２は対象物３２に接合されたままとなる。
【００６６】
タンパー指示装置１０の第１の部分４０を、タンパー指示装置１０の第２の部分４２に代えると、タンパー指示装置の上面３４を通したフラッドコート２８の外観が変化する。というのは、易壊フィルムの第１の部分７２および第２の部分７４が、タンパー指示装置１０の動作前より光拡散性となるからである。第１の部分７２および第２の部分７４は乳白色に見える。しかしながら、タンパー指示バッキング１２の第１の部分４０および第２の部分４２を通して見ると、フラッドコートの色は、変化して見える。というのは、不透明さが増した部分４０および４２を通して見るためである。従って、タンパー指示装置１０の動作後、セキュリティマーキング３８およびフラッドコート２８の認知された色と十分なコントラストがあり、セキュリティマーキングが容易に目視できる。タンパー指示装置１０の第１の部分４０をタンパー指示装置１０から完全に取り外しても、フラッドコート２８は易壊フィルムの第２の部分７４を通して見える。易壊フィルムの第２の部分７４は濁っており、フラッドコート２８を濁った第２の部分を通して見るため、フラッドコート２８は、動作前より色飽和が少なく見える。
【００６７】
タンパー指示バッキング１２は、図６の矢印４６に示されるように、タンパー指示装置１０の実質的に長手方向に内部層剥離する。内部層剥離の際、易壊フィルム５８の分離した部分４０および４２は濁り、不透明度が増大する。すなわち、タンパー指示装置１０の第１の部分４０を、タンパー指示装置１０の第２の部分４２と共に引っ張ると、フラッドコート２８は部分的に隠れ、タンパー指示装置の上面３４を通して容易には目視できなくなる。不透明性は、タンパー指示バッキング１２の内部層剥離中に形成されたタンパー指示バッキング１２の内部表面４８の表面凹凸によるものである。フラッドコート２８（存在するとき）は、タンパー指示バッキング１２の第１の側２６を通して完全に認知されることはないため、セキュリティマーキング３８はもうカモフラージュされない。セキュリティマーキングは、例えば、「動作」または「タンパー」または「無効」といったインディシアとすることができる。
【００６８】
図９Ａ、図９Ｂおよび図９Ｃを参照すると、タンパー指示装置１０の動作前は、セキュリティマーキング３８は判読不可能または判読困難である。セキュリティマーキングこの場合は「セキュリティマーケットセンター（ＳＥＣＵＲＩＴＹ  ＭＡＲＫＥＴ  ＣＥＮＴＥＲ）」と読めるインディシアがフラッドコートに対してカモフラージュされている。これは図９Ａに見ることができる。タンパー指示装置１０を対象物３２から取り外そうとすると（図９Ａ〜図９Ｃの実施形態においては対象物は白いカード片である）、易壊フィルムの破断およびタンパー指示バッキング１２の内部層剥離によりタンパー指示装置が動作する。フラッドコート２８により前はカモフラージュされていた易壊フィルム５８の内部層剥離後、セキュリティマーキング３８は、図９Ｂの画像に見える通り、判読可能となる。図９Ｂの画像においては、セキュリティマーキングはフラッドコートと十分なコントラストがあり、容易に目視可能かつ可読である。セキュリティマーキング３８は容易に認知されるため、これは、タンパー指示装置１０を対象物３２から取り外そうとしている、または情報６０を明らかにしようとしているということを示している。図９Ｃに、タンパー指示装置の第１の部分が、タンパー指示装置の第２の部分から剥がれて、保護された情報が明らかになった、タンパー指示装置１０を示す。このように、タンパー指示装置の第１の部分４０が物品６６から完全に取り外され廃棄されたときでも、タンパー指示装置１０は、タンパーの曖昧でない指示を与えるものである。所望であれば、タンパー指示装置１０が動作したら、セキュリティマーキング３８に、対象物３２が「開いている」、「動作」または「無効」（またはその他メッセージ）というメッセージ指示となる英数文字を含ませることができる。
【００６９】
本発明の操作を以下の実施例により更に説明する。下記の実施例は、本発明の多くの実施形態を例証するためのものである。しかしながら、下記の実施例は特定の厚さおよび材料を用いているものの、タンパー指示装置１０には、本発明の範囲内で多くの変形および修正を行える。
【実施例】
【００７０】
材料
特に断りのない限り、材料は全て市販されている。特に断らない限り、パーセンテージは全て重量基準である。
【００７１】
易壊フィルム
１．フィナ（ＦＩＮＡ）８４７３：凡その比が９６：４のポリプロピレン／エチレンのランダムコポリマー（テキサス州ダラスのフィナオイルアンドケミカルカンパニー（ＦＩＮＡ  Ｏｉｌ  ａｎｄ  Ｃｈｅｍｉｃａｌ  Ｃｏｍｐａｎｙ，Ｄａｌｌａｓ，ＴＸ）より入手可能）。本実施例においては、これが第１の（連続）相を形成する。
【００７２】
２．エヴァル（ＥＶＡＬ）−Ｅ１０５Ａ：４４モルパーセントのエチレンを含有するエチレンビニルアルコールコポリマーターポリマー（イリノイ州ライルのエヴァルカンパニーオブアメリカ（ＥＶＡＬ  Ｃｏｍｐａｎｙ  ｏｆ  Ａｍｅｒｉｃａ，Ｌｉｓｌｅ，ＩＬ）より入手可能）。本実施例においては、これが第２の（不連続）相を形成する。
【００７３】
タンパー指示バッキング
タンパー指示バッキングは、米国特許第６，３９５，３７６号明細書の実施例１〜３に概説されている通りに作成した。第１の相は７５重量％のフィナ（ＦＩＮＡ）８４７３、第２の相は２５重量％のエヴァル（ＥＶＡＬ）Ｅ１０５Ａの組成を有していた。この易壊フィルムの厚さは約０．０６４ｍｍ（０．００２５インチ）であった。
【００７４】
接着剤
６部のアクリル酸、０．００５部のＡＢＰ、０．１部の１０ＴＧおよび０．１５部のイルガキュア（Ｉｒｇａｃｕｒｅ）６５１からなっていた以外は米国特許第５，８０４，６１０号明細書に記載されたのと同様の２−エチルヘキシルアクリレート系感圧接着剤。
【００７５】
実施例１
上述した組成のタンパー指示バッキングの片側（第２の側）をコロナ処理し、コロナ処理側にフレキソ印刷により暗青色インクのフラッドコートを印刷した。フラッドコートはインクの印刷されていない窓を含んでいた。フィルムを裏返し、タンパー指示バッキングの第１の側に、フラッドコートに用いたのと同じ青色インクで「セキュリティマーケットセンター（Ｓｅｃｕｒｉｔｙ  Ｍａｒｋｅｔ  Ｃｅｎｔｅｒ）」と読めるインディシアをフレキソ印刷した。透明感圧プロピレンオーバーラミネート（オハイオ州オークハーバーのＡＣＰＯ社（ＡＣＰＯ  Ｌｔｄ．  ｏｆ  Ｏａｋ  Ｈａｒｂｏｒ，Ｏｈｉｏ）より入手可能）を、タンパー指示バッキングの第１の側のインディシアの接着剤側にラミネートした。自己巻き感圧トランスファ接着剤（ミネソタ州セントポールのミネソタマイニング・アンド・マニュファクチュアリングカンパニー（３Ｍ  Ｃｏｍｐａｎｙ，Ｓｔ．Ｐａｕｌ，Ｍｉｎｎｅｓｏｔａ）より入手可能な９４４５番）を、ゴムブレヤー（Ｂｒａｙｅｒ）ハンドローラを用いて、タンパー指示バッキングの第２の側（フラッドコート側）にハンドラミネートした。最後に、タンパー指示装置をラミネートされたタンパー指示バッキングのウェブから切断した。トランスファライナをタンパー指示装置の感圧トランスファ接着剤から取り外し、装置を、「１５６７８４３」という数字が印刷された明るい青色のカードストックに接着し、窓が数字を囲み、数字が窓の中で見えるように装置に窓を配置した。タンパー指示装置の上部（オーバーラミネートの表面）を黒色マーカーペンで塗潰してマスクを形成した。タンパー指示装置を備えた完成した物品は黒色マスク領域のある暗青色であり、数字は見えなかった。タンパー指示装置の上部を剥がした。フラッドコートの暗さは少し減り、色飽和が少なくなった。「セキュリティマーケットセンター（Ｓｅｃｕｒｉｔｙ  Ｍａｒｋｅｔ  Ｃｅｎｔｅｒ）」インディシアは、あまり飽和していない青色フラッドコートに対して見えるようになった。タンパー指示装置の上部を剥がすことによって、隠れた数字１５６７８４３が明らかになった。
【００７６】
実施例２
実施例１に記載したようなオーバーラミネートを備えたタンパー指示バッキング試料を用いた。タンパー指示バッキングの第２の側に、ニュージャージー州カーネー（Ｋｅａｒｎｙ，Ｎ．Ｊ．）にあるスペクトラカラーズコーポレーション（Ｓｐｅｃｔｒａ  Ｃｏｌｏｒｓ  Ｃｏｒｐｏｒａｔｉｏｎ）製の赤色顔料で着色した感圧接着剤をハンドラミネーションにより適用した。タンパー指示バッキングの第１の側に、適合させた赤色セキュリティマーキングを適用した。インディシアは判読可能ではなく、赤色に着色された接着剤に対しては明らかに目視可能であった。タンパー指示バッキングはフラッドコートを有していなかった。マスクは、コネチカット州ミルフォード（Ｍｉｌｆｏｒｄ，ＣＴ）にあるビックカンパニー（Ｂｉｃ  Ｃｏｍｐａｎｙ）製のマジックマーカー（Ｍａｇｉｃ  Ｍａｒｋｅｒ）（登録商標）ペンを用いて適用された。
【００７７】
タンパー指示装置を白いカード片に適用した。タンパー指示装置を白いカードから剥がすことによりタンパー指示装置を動作させたところ、赤色セキュリティマーキングが明らかに目視および判読可能となった。
【００７８】
実施例３
オーバーラミネートをバッキングにラミネーションする前に、マスクをマジックマーカー（Ｍａｇｉｃ  Ｍａｒｋｅｒ）（登録商標）ペンを用いて、タンパー指示バッキングの第１の側に適用した以外は、実施例１に記載されたのと同じ手法でこの実施例のタンパー指示装置試料を作成した。タンパー指示装置をカードに適用し、コード番号を印刷した。感圧トランスファ接着剤とカードを分離させようとすることによって、タンパー指示装置を動作させずにタンパー指示装置をカードから取り外そうとしてみた。タンパー指示装置をカードから分離しようとすると、必ず装置が動作した。タンパー指示装置の動作の際、タンパー指示装置により隠されたカードの数字が明らかとなり、青色インディシアのセキュリティマーキング「セキュリティマーケットセンター（Ｓｅｃｕｒｉｔｙ  Ｍａｒｋｅｔ  Ｃｅｎｔｅｒ）」が明らかに目視できるようになった。
【００７９】
上述の実施例は例示のためのみであって、異なる結果を得るために試験手順を変えることができる。
【００８０】
以上、本発明をいくつかの実施形態により説明してきた。上述の詳細な説明および実施例は理解のためとしてのみ示されている。不必要に限定はされないものとする。特に断りのない限り、成分材料のパーセンテージおよび比率はすべて、重量パーセントまたは重量部でそれぞれ与えてある。本発明の範囲から逸脱することなく上述の実施形態において様々な変更を行えることは当業者には明白であろう。このように、本発明の範囲は、本明細書に記載した詳細そのものおよび構造に限定されるものではなく、請求項の文言により記載された構造そしてその等価物によってのみ限定されるものである。上記の明細書で挙げた参考文献は全て、ここに参照したことにより組み込んだものとする。
【００８１】
上述の図面には本発明のいくつかの好ましい実施形態を規定してあるが、説明に記載したその他の実施形態も考えられる。全ての場合において、この開示は本発明を例証するものであり、限定するものではない。本発明の原理の範囲および技術思想の範囲内において様々なその他の修正および実施形態を当業者が行ない得ることを理解されたい。
【図面の簡単な説明】
【００８２】
【図１】剥離ライナとオーバーラミネート層とを含む本発明のタンパー指示装置の１実施形態の概略断面図である。
【図２】剥離ライナは含むがオーバーラミネート層を含まない本発明のタンパー指示装置の１実施形態の概略断面図である。
【図３】物品を形成するために対象物に固定されるものであって、マスクがタンパー指示バッキングの第１の側に配置される、オーバーラミネート層を含む本発明のタンパー指示装置の１実施形態の概略断面図である。
【図４】物品を形成するために対象物に固定されるものであって、マスクがオーバーラミネートフィルムの表面に配置される、オーバーラミネート層を含む本発明のタンパー指示装置の１実施形態の概略断面図である。
【図５】物品を形成するために対象物に固定されるものであって、マスクがタンパー指示バッキングの第１の側に配置される、オーバーラミネート層を含まない本発明のタンパー指示装置の実施形態の概略断面図である。
【図６】本発明のタンパー指示装置が動作し、タンパー指示バッキングが層剥離した状態を示す、図４の物品の概略断面図である。
【図７】物品を形成するために対象物に取り付けられるものであって、動作してタンパー指示バッキングが層剥離する、本発明のタンパー指示装置の１実施形態を示す斜視図である。
【図８】物品を形成するために対象物に固定されるものであって、ダイカット窓を有する、本発明のタンパー指示装置の更なる実施形態の概略断面図である。
【図９Ａ】対象物に取り付けられた本発明のタンパー指示装置の実施形態を示すものであって、動作前のタンパー指示装置を示す写真である。
【図９Ｂ】対象物に取り付けられた本発明のタンパー指示装置の実施形態を示すものであって、タンパー指示装置が動作し、タンパー指示装置の第１の部分が装置から取り外されていないタンパー指示装置を示す写真である。
【図９Ｃ】対象物に取り付けられた本発明のタンパー指示装置の実施形態を示すものであって、タンパー指示装置の第１の部分が、タンパー指示装置の第２の部分から部分的に剥がれて、保護された情報が部分的に明らかになった、本発明の動作後のタンパー指示装置を示す写真である。
【図１】
2006524364.tif 000003
【図２】
2006524364.tif 000004
【図３】
2006524364.tif 000005
【図４】
2006524364.tif 000006
【図５】
2006524364.tif 000007
【図６】
2006524364.tif 000008
【図７】
2006524364.tif 000009
【図８】
2006524364.tif 000010
2006524364.tif 000011
【国際調査報告】
2006524364.tif 000012
2006524364.tif 000013